(57)【要約】  個人認証のための画像データが、指先より少なくとも数倍程度大きな面積領域の任意の位置において、明瞭かつ短時間に取得できる技術を提供する。また、予約サイトや電子商取引サイトにおける一連の処理の流れをスムーズに進め、優れたユーザ体験が実現できる技術を提供する。表面を有し、ユーザが前記表面に位置指定体を接触または近接させることで情報が入力される入力部と、前記入力部に入力された情報に基づき処理を実行する処理部と、を備える情報処理システムであって、前記入力部が、前記表面における前記位置指定体の位置を検出する位置検出手段と、前記ユーザの生体情報を読み取る読取手段と、を有する情報処理システムを提供する。
2019117002.tif 000002
【特許請求の範囲】
【請求項１】
表面を有し、ユーザが前記表面に位置指定体を接触または近接させることで情報が入力される入力部と、
前記入力部に入力された情報に基づき処理を実行する処理部と、を備える情報処理システムであって、
前記入力部が、
前記表面における前記位置指定体の位置を検出する位置検出手段と、
前記ユーザの生体情報を読み取る読取手段と、を有する
情報処理システム。
【請求項２】
前記処理部が、
前記位置検出手段から取得した前記位置指定体の位置情報に基づき、前記読取手段の読取領域を絞り込み、
前記読取領域において前記読取手段を作動させ、前記生体情報を取得する
請求項１に記載の情報処理システム。
【請求項３】
前記処理部が、
前記位置検出手段から取得した前記位置指定体の位置情報、および、前記読取手段から取得した生体情報に関連付けられているユーザの属性情報、に基づいて次の処理を実行する
請求項１または請求項２に記載の情報処理システム。
【請求項４】
前記入力部に対向して配置された表示部２１０をさらに有し、
前記処理部は、前記次の処理において、前記位置情報で特定される前記表示部２１０の該当位置に割り当てられている機能のうち前記属性情報に応じた機能を選択して実行する
請求項３に記載の情報処理システム。
【請求項５】
前記位置検出手段が、前記読取手段の読み取り精度を低下して機能させるもの、タッチパネル、または、単一または複数の撮像装置である
請求項１から請求項４の何れか一項に記載の情報処理システム。
【請求項６】
前記読取手段が、前記表面にマトリックス状に配置された検出素子と、前記検出素子を第１方向に接続する第１ラインと、前記検出素子を前記第１方向とは異なる第２方向に接続する第２ラインと、を有するものであり、
前記第１ライン、前記第２ライン、または、前記第１ラインおよび第２ラインの双方を間引いて機能させることで、前記読取手段を前記位置検出手段として機能させる
請求項５に記載の情報処理システム。
【請求項７】
前記位置検出手段が、複数の撮像装置であり、
前記複数の撮像装置の其々は、前記表面における異なる領域を其々撮像する
請求項５に記載の情報処理システム。
【請求項８】
前記生体情報が、前記ユーザの指紋、脈紋、顔、虹彩および声紋から選択された単一または複数の生体部位に対応するパターンまたは特徴量である
請求項１から請求項７の何れか一項に記載の情報処理システム。
【発明の詳細な説明】
【技術分野】
【０００１】
本発明は、情報処理システムに関する。
【背景技術】
【０００２】
特許文献１は、被写体の光学像を取得する撮像装置、特に、個人認証のための指紋画像の取得に適した撮像装置を開示する。指紋読取装置において、指先の指紋凹凸が人によって小さい場合があり、そのような場合、指紋画像データが得られなかったり、得られたとして不明瞭であったりする場合がある。しかしながら、特許文献１の撮像装置は、「被写体（ 例えば、指先）に接触する接触面下から前記被写体の光学像を取得する撮像装置において、光を拡散する光拡散膜が前記接触面に形成されている」との構成を備えることで、「被写体をはっきり撮像できるようにする」という発明目的が達成できるとされている。【０００３】
特許文献２は、被検体をセンシングする接触型センサを開示する。前記した特許文献１の場合と同様、指紋読取装置において、指紋画像データが得られなかったり、得られたとして不明瞭であったりする場合がある。しかしながら、特許文献２の接触型センサは、「載置面に載置された被検体を検知する接触型センサにおいて、前記載置面に撥液膜が形成されている」との構成を備えることで、「被写体をはっきり撮像できるようにする」という発明目的が達成できるとされている。【０００４】
また、旅券等の予約サイトや物品購入等の電子商取引サイトにおける個人認証は、サービス提供の開始の際のログイン時に要求される他、決済手続き等、予約あるいは物品購入の一連の処理における重要手続きの際に要求されるのが一般的である。
【先行技術文献】
【特許文献】
【０００５】
【特許文献１】特開２００４−３９９０９号公報
【特許文献２】特開２００４−１７８１６６号公報
【発明の概要】
【発明が解決しようとする課題】
【０００６】
特許文献１、２に記載の技術を用いることで、個人認証のための明瞭な指紋画像データが取得できる。【０００７】
しかし、特許文献１、２に記載の発明は、指先程度の限られた面積領域たとえば１０ｍｍ×１０ｍｍ程度の領域での指紋画像データの取得を想定しており、たとえば１０インチサイズやそれ以上の大面積領域における任意の位置で、明瞭な指紋画像データを得ようとすれば、データ検出のための走査線数が膨大となり、迅速な画像データを取得することが困難になる。【０００８】
たとえば、特許文献１、２と同等な分解能で指紋画像データを取得するためには、読み取りセンサを５０μｍピッチでアレイ状に配置する必要があり、水平および垂直スキャンのドライバ数は、Ａ４サイズの場合で５９４０×４２００個、Ａ３サイズの場合で８４００×５９４０個になる。一度の指紋読み取りのために、これだけの数のドライバを駆動する必要があり、全データを取得するまでの時間が長くなる問題がある。しかも、取得したデータの全てが個人認証のために使用される訳ではなく、個人認証に使用されるデータは指先が触れた領域のデータに限られ、その他の領域における多くのデータは個人認証においては利用されない無用なデータということになる。【０００９】
本発明の目的は、個人認証のための画像データが、指先より少なくとも数倍程度大きな面積領域の任意の位置において、明瞭かつ短時間に取得できる技術を提供することにある。また、本発明の目的は、指先より少なくとも数倍程度大きな面積領域における個人認証のための画像データの取得が、無駄なく効率よく実行できる技術を提供することにある。【００１０】
また、予約サイトや電子商取引サイトにおいてユーザの選択した処理が決済等重要な手続処理である場合、その都度個人認証を要求する場合があることは前記した通りである。このように、重要な手続を処理しようとする都度個人認証を要求することで、取引の安全性が確保される。【００１１】
しかし、重要手続き毎に個人認証が要求されるユーザにとっては、予約やショッピングという一連の処理の流れが中断され、ユーザにとっての利便性が良くない。また、電子商取引におけるショッピングも実店舗におけるショッピングと変わりなく、ショッピングする楽しみを味わうものであり、一連の手続きの中で個人認証により処理が中断されることはユーザ体験の観点からも好ましくない。【００１２】
本発明の目的は、予約サイトや電子商取引サイトにおける一連の処理の流れをスムーズに進め、優れたユーザ体験が実現できる技術を提供することにある。
【課題を解決するための手段】
【００１３】
上記課題を解決するために、本発明の第１の態様においては、表面を有し、ユーザが前記表面に位置指定体を接触または近接させることで情報が入力される入力部と、前記入力部に入力された情報に基づき処理を実行する処理部と、を備える情報処理システムであって、前記入力部が、前記表面における前記位置指定体の位置を検出する位置検出手段と、前記ユーザの生体情報を読み取る読取手段と、を有する情報処理システムを提供する。【００１４】
前記処理部が、前記位置検出手段から取得した前記位置指定体の位置情報に基づき、前記読取手段の読取領域を絞り込み、前記読取領域において前記読取手段を作動させ、前記生体情報を取得してもよい。【００１５】
あるいは、前記処理部が、前記位置検出手段から取得した前記位置指定体の位置情報、および、前記読取手段から取得した生体情報に関連付けられているユーザの属性情報、に基づいて次の処理を実行してもよい。この場会、前記入力部に対向して配置された表示部２１０をさらに有し、前記処理部は、前記次の処理において、前記位置情報で特定される前記表示部２１０の該当位置に割り当てられている機能のうち前記属性情報に応じた機能を選択して実行してもよい。【００１６】
前記位置検出手段が、前記読取手段の読み取り精度を低下して機能させるもの、タッチパネル、または、単一または複数の撮像装置であってもよい。この場合、前記読取手段が、前記表面にマトリックス状に配置された検出素子と、前記検出素子を第１方向に接続する第１ラインと、前記検出素子を前記第１方向とは異なる第２方向に接続する第２ラインと、を有するものであり、前記第１ライン、前記第２ライン、または、前記第１ラインおよび第２ラインの双方を間引いて機能させることで、前記読取手段を前記位置検出手段として機能させてもよい。あるいは、前記位置検出手段が、複数の撮像装置であり、前記複数の撮像装置の其々は、前記表面における異なる領域を其々撮像するものであってもよい。【００１７】
前記生体情報が、前記ユーザの指紋、脈紋、顔、虹彩および声紋から選択された単一または複数の生体部位に対応するパターンまたは特徴量であってもよい。【００１８】
なお、上記の発明の概要は、本発明の必要な特徴の全てを列挙したものではない。また、これらの特徴群のサブコンビネーションもまた、発明となりうる。
【図面の簡単な説明】
【００１９】
【図１】情報処理システム１００を示した概念図である。
【図２】入力部１１０の一例を示した図である。
【図３】入力部１１０の一部を拡大して示した図である。
【図４】情報処理システム１００の機能を説明するための図である。
【図５】情報処理システム１００の機能を説明するための図である。
【図６】入力部１１０の他の例を示した図である。
【図７】入力部１１０のさらに他の例を示した図である。
【図８】情報処理システム２００を示した概念図である。
【図９】情報処理システム２００の処理を示したフロー図である。
【図１０】情報処理システム２００の表示例を示した図である。
【図１１】情報処理システム２００の表示例を示した図である。
【図１２】情報処理システム２００の処理を示したフロー図である。
【図１３】情報処理システム２００の表示例を示した図である。
【図１４】情報処理システム２００の表示例を示した図である。
【図１５】情報処理システム２００の処理を示したフロー図である。
【図１６】情報処理システム２００の表示例を示した図である。
【図１７】情報処理システム２００の表示例を示した図である。
【図１８】情報処理システム２００の処理を示したフロー図である。
【図１９】情報処理システム２００の表示例を示した図である。
【図２０】情報処理システム２００の表示例を示した図である。
【発明を実施するための形態】
【００２０】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００２１】
（実施の形態１）
図１は、情報処理システム１００を示した概念図である。情報処理システム１００は、入力部１１０と、処理部１６０とを有し、入力部１１０は、位置検出手段１１２および生体情報読取手段１１４を有する。
【００２２】
入力部１１０は、表面を有し、ユーザが当該表面に指等の位置指定体を接触または近接させることで情報が入力される。位置検出手段１１２は、表面における位置指定体の位置を検出し、生体情報読取手段１１４は、ユーザの生体情報を読み取る。処理部１６０は、入力部１１０に入力された情報に基づき処理を実行する。
【００２３】
たとえば、ユーザが、領域Ａにたとえば指（位置指定体）を近づけ、あるいは接触させた場合、位置検出手段１１２が領域Ａを検出し、検出した領域Ａの位置情報を処理部１６０に伝える。また、領域Ａに近づけ、あるいは接触した指の指紋等ユーザの生体から、生体情報読取手段１１４が生体情報を読み取り、読み取った生体情報を処理部１６０に伝える。ユーザが領域Ｂに指を近づけ又は接触した場合は、領域Ｂの位置情報を処理部１６０に伝え、同時にユーザの生体情報を処理部１６０に伝える。
【００２４】
図２は、入力部１１０の一例を示した図であり、図３は、入力部１１０の一部を拡大して示した図である。図２および図３に示す入力部１１０は、位置検出手段１１２および生体情報読取手段１１４の一例として示すものであり、位置検出手段１１２として、生体情報読取手段１１４の読み取り精度を低下して機能させるものを例示する。
【００２５】
入力部１１０は、検出素子形成領域１２０と、垂直ドライバ形成領域１２２、１２４と、信号読み出し回路形成領域１２６とを有し、垂直ドライバ形成領域１２２、１２４は、それぞれ検出素子形成領域１２０の左右に、信号読み出し回路形成領域１２６は検出素子形成領域１２０の下に配置されている。なお、上記した左右あるいは上下との表記は、図２における方向表記であり、実際の物における方向を意味するものではない。
【００２６】
検出素子形成領域１２０には、検出素子１２０ａ、第１ライン１２０ｂおよび第２ライン１２０ｃが形成されている。垂直ドライバ形成領域１２２、１２４にはそれぞれ垂直ドライバ１２２ａ、１２４ａが形成され、信号読み出し回路形成領域１２６には信号読み出し回路１２６ａが形成されている。
【００２７】
検出素子１２０ａは、入力部１１０の表面にマトリックス状に配置されており、たとえば感光薄膜トランジスタ（photosensitive thin-film transistor）が例示できる。個人認証に必要な解像度の指紋画像データを得るには、検出素子１２０ａは、たとえば５０μｍ程度のピッチで配置することが好ましい。
【００２８】
第１ライン１２０ｂは、検出素子１２０ａを第１方向に接続し、第２ライン１２０ｃは、検出素子１２０ａを第１方向とは異なる第２方向に接続する。たとえば、図３に示すように、第１ライン１２０ｂは、水平方向一列の検出素子１２０ａのゲート電極を相互に接続し、垂直ドライバ１２２ａに接続される。また、第１ライン１２０ｂは、水平方向一列の検出素子１２０ａのソース電極（またはドレイン電極）を相互に接続し、垂直ドライバ１２４ａに接続される。第２ライン１２０ｃは、垂直方向一列の検出素子１２０ａのドレイン電極（またはソース電極）を相互に接続し、信号読み出し回路１２６ａに接続される。
【００２９】
図４および図５は、情報処理システム１００の機能を説明するための図である。情報処理システム１００において、処理部１６０は、位置検出手段１１２から取得した位置指定体の位置情報に基づき、生体情報読取手段１１４の読取領域を絞り込み、絞り込んだ読取領域において生体情報読取手段１１４を作動させ、生体情報を取得する。すなわち、ユーザが位置指定体である指を領域Ａに接触させたとき、位置検出手段１１２により領域Ａを特定し、生体情報読取手段１１４の読取領域を領域Ａに絞り込み、領域Ａにおいて生体情報読取手段１１４を作動させ、生体情報を取得する。
【００３０】
たとえば、処理部１６０が位置検出手段１１２により位置指定体（たとえばユーザの指）の位置情報を得る段階では、図４に示すように、第１ライン１２０ｂを間引いた水平粗ライン１２８および第２ライン１２０ｃを間引いた垂直粗ライン１３０についてのみ検出素子１２０ａを作動させ、位置情報である領域Ａを取得する。次いで、領域Ａにおける第１ライン１３２および領域Ａにおける第２ライン１３４を作動させ、領域Ａにおける詳細な指紋画像データを取得する。すなわち、第１ライン１２０ｂおよび第２ライン１２０ｃを間引いて機能させることで、生体情報読取手段１１４を位置検出手段１１２として機能させることができる。
【００３１】
このように、第１ライン１２０ｂおよび第２ライン１２０ｃを間引いて機能させることで生体情報読取手段１１４を位置検出手段１１２として機能させ、位置検出手段１１２で絞り込んだ領域において詳細な指紋画像データを得ることで、個人認証に必要な解像度の画像データを大きな面積領域の任意の位置において、明瞭かつ短時間に取得することができる。また、個人認証に必要な詳細な画像データは必要な領域のみで取得されるので、個人認証のための画像データの取得が、無駄なく効率よく実行することができる。
【００３２】
上記の場合、検出素子形成領域１２０に形成された検出素子１２０ａ、第１ライン１２０ｂおよび第２ライン１２０ｃ、垂直ドライバ形成領域１２２、１２４に形成された垂直ドライバ１２２ａ、１２４ａ、信号読み出し回路形成領域１２６に形成された信号読み出し回路１２６ａは、生体情報読取手段１１４であり、その一部は位置検出手段１１２でもある。位置検出手段１１２は、生体情報読取手段１１４の読み取り精度を低下して機能させるものといえる。
【００３３】
なお、上記処理部１６０の動作において、第１ライン１２０ｂおよび第２ライン１２０ｃの双方を間引いた例を説明したが、第１ライン１２０ｂまたは第２ライン１２０ｃの一方のみを間引いて機能させてもよい。
【００３４】
図６は、入力部１１０の他の例を示した図である。図６に示す入力部１１０は、位置検出手段１１２としてタッチパネル１４０を有する。タッチパネル１４０によりユーザの指等位置指定体の位置を検出し、当該位置に絞り込んで生体情報を読み取ることができる。この場合、検出素子形成領域１２０に形成された検出素子１２０ａ、第１ライン１２０ｂおよび第２ライン１２０ｃ、垂直ドライバ形成領域１２２、１２４に形成された垂直ドライバ１２２ａ、１２４ａ、信号読み出し回路形成領域１２６に形成された信号読み出し回路１２６ａは、生体情報読取手段１１４である。
【００３５】
図７は、入力部１１０のさらに他の例を示した図である。図７に示す入力部１１０は、位置検出手段１１２として複数の撮像装置１５０を有する。複数の撮像装置１５０の其々は、入力部１１０の表面における異なる領域１５２を其々撮像する。複数の撮像装置１５０に対応した領域１５２の何れにユーザの指等位置指定体が位置するかを検出することで、位置指定体の位置を検出することができ、当該位置に絞り込んで生体情報を読み取ることができる。
【００３６】
なお、検出素子形成領域１２０に形成された検出素子１２０ａ等を生体情報読取手段１１４とすることができるが、撮像装置１５０によって撮影された画像データを生体情報取得用の指紋画像データに用いることもできる。この場合、撮像装置１５０は生体情報読取手段１１４でもある。撮像装置１５０を生体情報読取手段１１４として用いる場合、指等を接触させるプリズムを備えることが好ましい。また、ここでは撮像装置１５０が複数の場合を例示したが、撮像装置１５０の撮影方向および焦点深度等を調整することで入力部１１０の全域がカバーできる場合は、単一の撮像装置１５０であってもよい。
【００３７】
（実施の形態２）
図８は、情報処理システム２００を示した概念図である。情報処理システム２００は、表示部２１０を備える他、実施の形態１の情報処理システム１００と同様の構成を有する。情報処理システム１００と同様の構成については説明を省略する。
【００３８】
表示部２１０は、液晶表示装置、エレクトロルミネッセンス表示装置等の表示装置であり、入力部１１０に対向して配置されている。入力部１１０は、透明または半透明であり、ユーザは、入力部１１０を透して表示部２１０の表示内容を視認できる。
【００３９】
処理部１６０は、実施の形態１で説明した機能に加え、表示部２１０を制御する機能を備える。また、処理部１６０は、位置検出手段１１２から取得した位置指定体の位置情報、および、生体情報読取手段１１４から取得した生体情報に関連付けられているユーザの属性情報、たとえばユーザの認証情報に基づいて次の処理を実行する。たとえば、処理部１６０は、次の処理において、位置情報で特定される表示部２１０の該当位置に割り当てられている機能（たとえばショッピングサイトにおける商品選択やチケット予約サイトにおける座席選択機能）のうち属性情報に応じた機能（たとえばユーザ認証に応じた決済処理）を選択して実行する。以下、具体的な例を説明する。
【００４０】
図９、１２、１５および１８は、情報処理システム２００の処理を示したフロー図である。図１０、１１、１３、１４、１６、１７、１９および２０は、情報処理システム２００の表示例を示した図である。
【００４１】
情報処理システム２００において、処理を開始すると（Ｓ２２０）、図１０に示すようにログイン画面が表示され（Ｓ２２２）、たとえば領域Ａにユーザが指を接触させることでタッチ検出および指紋認証が実行される（Ｓ２２４）。指紋認証によりユーザが認証されると（Ｓ２２６）、図１１に示すようなメニュー画面が表示され（Ｓ２２８）、認証されない場合はＳ２２２のログイン画面に戻る。図１１のメニュー画面には、たとえば「フォルダ」、「ショッピング」、「座席予約」のメニューが表示され、ユーザのメニュー選択（Ｓ２３０）に応じて、フォルダ処理（Ｓ２３２）、ショッピング処理（Ｓ２３４）、座席予約処理（Ｓ２３６）に分岐する。そして、各処理の実行後、処理を終了する（Ｓ２３８）。
【００４２】
ユーザのメニュー選択は、たとえばユーザの指を各メニュー領域に接触させることで実行され、図１１に示すように、たとえば接触した領域Ａがフォルダ処理の表示領域である場合、フォルダ処理が選択される。
【００４３】
図１２は、フォルダ処理が選択された場合の処理フローの一例である。フォルダ処理が開始されると（Ｓ２４０）、図１３に示すように、フォルダ選択画面が表示され（Ｓ２４２）、たとえば領域Ａにユーザが指を接触させることでタッチ検出が実行される（Ｓ２４４）。選択されたフォルダがユーザの専用フォルダであるかが判断され（Ｓ２４６）、専用フォルダである場合は指紋認証（Ｓ２４８）が実行される。指紋認証において認証がパスするかどうかが判断され（Ｓ２５０）、認証がパスした場合には図１４に示すように、選択した専用Ａのフォルダが開き（Ｓ２５２）、認証がパスしない場合は処理を終了する（Ｓ２５８）。Ｓ２４６で専用フォルダでないと判断された場合、共用フォルダであるかが判断され（Ｓ２５４）、共用フォルダである場合は選択フォルダが開き（Ｓ２５６）、そうでない場合は処理を終了する（Ｓ２５８）。
【００４４】
図１２のフローによれば、ユーザが指で接触（フォルダ選択）する一つの動作で、フォルダの選択および個人認証取得のための画像データ取得が同時に行えるので、専用フォルダの場合であっても、ユーザに個人認証のためのデータ入力等を要求することなく、処理を実行できる。この結果、ユーザから見た処理の流れは極めてスムーズであり、良好なユーザ体験を提供することができる。
【００４５】
図１５は、ショッピング処理が選択された場合の処理フローの一例である。ショッピング処理が開始されると（Ｓ２６０）、図１６に示すように、商品選択画面が表示され（Ｓ２６２）、たとえば領域Ａにユーザが指を接触させることでタッチ検出および指紋認証が実行される（Ｓ２６４）。指紋認証において、認証がパスするかどうかが判断され（Ｓ２６６）、認証がパスした場合、タッチ位置の商品が選択され（Ｓ２６８）、商品購入処理および決済処理が実行される（Ｓ２７０）。その後、図１７に示すように、購入確認画面が表示され（Ｓ２７２）、処理を終了する（Ｓ２７４）。Ｓ２６６で認証がパスしないと判断された場合、処理を終了する（Ｓ２７４）。
【００４６】
以上のように、ユーザが指で接触（商品選択）する一つの動作で、商品選択および個人認証取得のための画像データ取得が同時に行えるので、商品購入の際の決済処理においてユーザ認証のためのデータ入力等を要求することなく、処理を実行できる。この結果、ユーザから見た処理の流れは極めてスムーズであり、良好なユーザ体験を提供することができる。
【００４７】
図１８は、予約処理が選択された場合の処理フローの一例である。予約処理が開始されると（Ｓ２７６）、図１９に示すように、座席選択画面が表示され（Ｓ２７８）、たとえば領域Ａにユーザが指を接触させることでタッチ検出および指紋認証が実行される（Ｓ２８０）。指紋認証において、認証がパスするかどうかが判断され（Ｓ２８２）、認証がパスした場合、タッチ位置の座席「Ｂ９」が選択され（Ｓ２８４）、座席予約処理および決済処理が実行される（Ｓ２８６）。その後、図２０に示すように、予約確認画面が表示され（Ｓ２８８）、処理を終了する（Ｓ２９０）。Ｓ２８２で認証がパスしないと判断された場合、処理を終了する（Ｓ２９０）。
【００４８】
以上のように、ユーザが指で接触（座席選択）する一つの動作で、座席選択および個人認証取得のための画像データ取得が同時に行えるので、座席予約の際の決済処理においてユーザ認証のためのデータ入力等を要求することなく、処理を実行できる。この結果、ユーザから見た処理の流れは極めてスムーズであり、良好なユーザ体験を提供することができる。
【００４９】
以上の通り、実施の形態２の情報処理システム２００によれば、個人専用ファイルへのアクセスや商品購入、座席予約の際、個人認証のためのデータ入力がユーザに要求されることがないので、ファイル操作、予約サイトや電子商取引サイトにおける一連の処理の流れをスムーズに進め、優れたユーザ体験を実現することができる。
【００５０】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００５１】
たとえば、上記した実施の形態では、位置指定体として、ユーザの指を例示しているが、これに限られない。また、生体認証用の生体としてユーザに指紋を例示しているが、これに限られない。たとえば、生体情報として、ユーザの指紋、脈紋、顔、虹彩および声紋から選択された単一または複数の生体部位に対応するパターンまたは特徴量を用いることができる。
【００５２】
特許請求の範囲、明細書、および図面中において示した装置、システム（、プログラム）および方法における動作、手順、ステップおよび段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書および図面中の動作フローに関して便宜上「まず」、「次に」等を用いて説明したとしても、この順で実施することが必須であることを意味するものではない。
【符号の説明】
【００５３】
１００…情報処理システム、１１０…入力部、１１２…位置検出手段、１１４…生体情報読取手段、１２０…検出素子形成領域、１２０ａ…検出素子、１２０ｂ…第１ライン、１２０ｃ…第２ライン、１２２，１２４…垂直ドライバ形成領域、１２２ａ，１２４ａ…垂直ドライバ、１２６…信号読み出し回路形成領域、１２６ａ…信号読み出し回路、１２８…水平粗ライン、１３０…垂直粗ライン、１３２…領域Ａにおける第１ライン、１３４…領域Ａにおける第２ライン、１４０…タッチパネル、１５０…撮像装置、１５２…領域、１６０…処理部、２００…情報処理システム、２１０…表示部。
【図１】
2019117002.tif 000003
【図２】
2019117002.tif 000004
【図３】
2019117002.tif 000005
【図４】
2019117002.tif 000006
【図５】
2019117002.tif 000007
【図６】
2019117002.tif 000008
【図７】
2019117002.tif 000009
【図８】
2019117002.tif 000010
【図９】
2019117002.tif 000011
【図１０】
2019117002.tif 000012
【図１１】
2019117002.tif 000013
【図１２】
2019117002.tif 000014
【図１３】
2019117002.tif 000015
【図１４】
2019117002.tif 000016
【図１５】
2019117002.tif 000017
【図１６】
2019117002.tif 000018
【図１７】
2019117002.tif 000019
【図１８】
2019117002.tif 000020
【図１９】
2019117002.tif 000021
【図２０】
2019117002.tif 000022
【国際調査報告】
2019117002.tif 000023
2019117002.tif 000024
2019117002.tif 000025
2019117002.tif 000026